(57)【要約】【課題】  焚き火を囲んで快適に、しかも安全に楽しみ、くつろぐことができる焚き火シートを提供する。【解決手段】  不燃性又は難燃性のフレキシブルシートからなり、焚き火をする場所を除いて、その周囲に敷き詰められる環状の焚き火シート１０である。ユーザーは内側の開口部１１で焚き火をし、周囲の焚き火シート１０の上で焚き火を囲んでくつろぐ。【選択図】  図１
2009039231.tif 000002
【特許請求の範囲】
【請求項１】
不燃性又は難燃性のフレキシブルシートからなり、焚き火をする場所を除いて、その周囲に敷き詰められるように環状に形成された焚き火シート。
【請求項２】
請求項１に記載の焚き火シートにおいて、焚き火をする場所を除いて、その周囲に環状に敷き詰められる複数枚のシート片からなり、内側に形成される空間の大きさを変えることができるように重ね代が可変である焚き火シート。
【発明の詳細な説明】
【技術分野】
【０００１】
本発明は、アウトドアで焚き火を囲むときに使用される焚き火シートに関する。
【背景技術】
【０００２】
近年のアウトドア志向の高まりに伴い、野外で複数の人が焚き火を囲んで憩い集う機会は非常に多くなっている。焚き火を囲む人たちの多くは、敷物としてブルーシートと呼ばれる防水シートを持参しているが、ブルーシートは燃えやすく、焚き火の回りに敷く敷物としては危険である。このため、ブルーシートは、焚き火から離れた場所で荷物置きとして使われているのが実情である。
【０００３】
その結果、地べたに直接腰をおろして焚き火を囲むことになるが、衣服が汚れるだけでなく、地面から湿気や冷気のため快適性が阻害される。屋外チェアを持参すれば、衣服の汚れ、地面から湿気や冷気は避けられる。しかし、屋外チェアは嵩張る上に値が張る。また、地面に横になってくつろぐような使い方はできず、自由度に関してはシートに到底及ばない。
【０００４】
不燃性のフレキシブルシートは多々提案されているが、耐火建材用のラミネート材であるとか、防火服や防火カーテンであるといったように、建造物の火災事故に関係する使われ方しかされていない（特許文献１など）。
【０００５】
【特許文献１】特開２００４−１３６４７０号公報
【発明の開示】
【発明が解決しようとする課題】
【０００６】
本発明は、上述の事情に鑑みてなされたもので、焚き火を囲んで快適に、しかも安全に楽しみ、くつろぐことができる焚き火シートを提供することを目的とする。
【課題を解決するための手段】
【０００７】
上記目的を達成するために、本発明の焚き火シートは、不燃性又は難燃性のフレキシブルシートからなり、焚き火をする場所を除いて、その周囲に敷き詰められるように環状に形成されている。
【０００８】
本発明の焚き火シートにおいては、焚き火をする場所を取り囲むように、当該シートを敷く。敷いたシートの内側で焚き火をする。焚き火の火がシートに燃え移る危険がない。ユーザーは、シートの上で焚き火を囲んで、各自自由な姿勢でくつろぎつつ、焚き火を安全かつ快適に楽しむことができる。
【０００９】
本発明の焚き火シートの最もシンプルな形態は、シートの中央部に孔をあけたものである。この場合、シートの広さ、孔の大きさを変えることができない。このため、焚き火をする場所を除いて、その周囲に環状に敷き詰められる複数枚のシート片からなり、内側に形成される空間の大きさを変えることができるように重ね代が可変である焚き火シートが好ましい。この焚き火シートによると、焚き火の規模、集う人々の数等に応じて、シートの広さ、孔の大きさを変えることができ、自由度、使用性が著しく向上する。
【発明の効果】
【００１０】
本発明の焚き火シートは、焚き火をする場所を除いて、その周囲に環状に敷き詰められる不燃性又は難燃性のフレキシブルシートからなるので、焚き火を囲んで、各自自由な姿勢でくつろぎつつ、焚き火を安全かつ快適に楽しむことができる。また折り畳みが可能であるので、持ち運びも簡単である。
【発明を実施するための最良の形態】
【００１１】
以下、本発明の実施形態を図面を参照して具体的に説明する。図１は本発明の第１実施形態を示す焚き火シートの斜視図で、（ａ）は使用状態を示し、（ｂ）は折り畳み状態を示す。
【００１２】
本実施形態の焚き火シート１０は、正方形のシートであり、中央部に円形の開口部１１を有している。シートは、周知の難燃性又は不燃性のフレキシブルシートからなり、難燃性や不燃性を阻害しない範囲内で防水性も兼備している。シート１０の寸法としては、例えば１辺の長さが６〜８ｍであり、開口部１１の直径が２〜３ｍ程度である。
【００１３】
本実施形態の焚き火シート１０は小さく折り畳んで収納、運搬することができる。使用するときは、焚き火をする場所に広げて敷く。開口部１０内の地面の上で焚き火を行う。ユーザーは、シート１０の上にくつろいだ姿勢で座り、これにより衣服の汚れを心配することなく、リラックスして焚き火を囲み、楽しい一時を過ごすことができる。
【００１４】
また、焚き火シート１０の火がシート１０に燃え移る危険がないので、安全であり、このことを心配する必要がないため、この点からもユーザーはリラックスできる。１３はシート１０を地面に固定するための固定部で、ここでは鳩目孔であり、シート１０の外縁部及び内周部に所定間隔で設けられている。
【００１５】
図２（ａ）（ｂ）は本発明の第２実施形態を示す焚き火シートの使用状態を示す斜視図である。
【００１６】
本実施形態の焚き火シート２０は、台形状をした複数枚のシート片２２からなる。シート片２２は、ここでは６枚からなり、焚き火をする場所の周囲に整列させることにより多角形の環状シートとなり、その内側に、焚き火をするための円形の開口部２１を形成する〔図２（ａ）〕。
【００１７】
各シート片２２は、第１実施形態の焚き火シート１０を構成するのと同様の不燃性又は難燃性のフレキシブルシートからなる。各シート片２２の内縁部（短片部）及び外縁部（長片部）には同じ数の鳩目孔からなる固定部２３が等間隔で開設されている。固定部２３は、隣接するシート片２２，２２を連結する連結部を兼ねており、隣接する固定部２３，２３を使ってシート片２２，２２を紐で結合することができる。
【００１８】
本実施形態の焚き火シート２０も、シート片２２ごとに小さく折り畳んで収納し、運搬することができる。使用時、この焚き火シート２０は、大きさを調整することができる。最も大きく使う場合は、図２（ａ）に示すように、  複数のシート片２２を周方向に重なりなく整列させ、個々のシート片２２を地面に固定する。また、適宜、隣接するシート片２２，２２を紐で連結する。これにより、焚き火シート２０を、例えば外径が１０ｍ、内径、すなわち開口部２１の直径が５ｍというようなビッグサイズで使用することができ、キャンプファイャーのごとき催しも可能となる。
【００１９】
小さく使う場合は、図２（ｂ）に示すように、複数のシート片２２を周方向に所定量、重ね合わせながら整列させて地面に固定する。また、必要に応じて、隣接する固定部２３，２３に紐を通して、隣接するシート片２２，２２を結合する。これにより、焚き火シート２０は、例えば外径が７〜８ｍ、内径、すなわち開口部２１の直径が３ｍ前後というようなスモールサイズとなる。隣接するシート片２２，２２の重なり代を調整することにより、多段階にサイズを変更することができる。重なり代は、シート片２２の外縁部及び内縁部にそれぞれ設けられる固定部２３の間隔単位で調整可能であり、その間隔にこだわることなく重なり代を調整することもできる。
【００２０】
また、シート片２２の枚数を減らして使用すれば、より小さな焚き火シート２０も形成することができる。
【００２１】
このように、本実施形態の焚き火シート２０は、人数により、或いは焚き火の規模により、大きさを調整することができる。したがって、汎用性が高い。また、いずれのサイズで使用する場合であっても、ユーザーは、シート２０の上にくつろいだ姿勢で座り、これにより衣服の汚れを心配することなく、リラックスして焚き火を囲み、楽しい一時を過ごすことができる。また、焚き火シート２０の火がシート２０に燃え移る危険がないので、安全であり、このことを心配する必要がないため、この点からもユーザーはリラックスできる。
【００２２】
焚き火シート１０，２０の外形は、前者では四角形、後者では多角形とした。また、内形は前者では円形、後者では多角形とした。これらの形状は本実施形態に限るものではなく、例えば外形も内形も円形といういうようなドーナツ形状も可能である。
【図面の簡単な説明】
【００２３】
【図１】本発明の第１実施形態を示す焚き火シートの斜視図で、（ａ）は使用状態、（ｂ）は折り畳み状態を示す。
【図２】（ａ）（ｂ）は本発明の第２実施形態を示す焚き火シートの使用状態を示す斜視図である。
【符号の説明】
【００２４】
１０，２０  焚き火シート
１１，２１  開口部
２２  シート片
１３，２３  固定部
【図１】
2009039231.tif 000003
【図２】
2009039231.tif 000004